(57)【特許請求の範囲】
【請求項１】
開き戸の下部に固定するロック具と、開き戸が開状態にあるとき前記ロック具の真下の床面に取り付ける受座とからなる戸当りにおいて、
前記受座は、
厚さ方向に軸受穴を設けると共に該軸受穴と座外縁との間に断面山形のスロープからなるガイド通路を設け、前記軸受穴を、該ガイド通路が連なった深さ方向上段の仮止め穴部と該仮止め穴部より小径な下段のロック穴部とで形成し、
前記ロック具は、
開き戸に固定するガイドケースと、先端が前記仮止め穴部に係合する仮止め位置と届かない非仮止め位置との間を移動可能に入れ子式に重ねて前記ガイドケースに嵌入する前記ロック穴部より太径なパイプ状の仮止め杆と、先端部が前記ロック穴部に係合するロック位置と前記仮止め杆内に引き込まれる非ロック位置との間を移動可能に入れ子式に重ねて前記仮止め杆に嵌入するロック棒と、前記仮止め杆と前記ロック棒間に介装して該ロック棒を前記ガイドケースの頭部に向けて常時付勢し、前記仮止め杆を仮止め位置に止めて保持する一方、前記ロック棒を非ロック位置に止めて保持する付勢ばねと、前記ガイドケースの頭部に冠着して前記ロック棒を前記付勢ばねに抗して押し下げる操作ボタンと、該操作ボタンによる一定ストロークの押し下げ動作に応じて前記ロック棒の保持高さを非ロック位置又はロック位置に切り換える切換手段とを備えることを特徴とする、戸当り。
【請求項２】
前記ロック具は、開き戸のロック状態を表示する表示部を、前記操作ボタンの背後に重ねて立設してなることを特徴とする、請求項１に記載の戸当り。
【発明の詳細な説明】
【技術分野】
【０００１】
本発明は、吊元側をヒンジで扉枠の一側縦框に連結して回動可能に吊り込んだ開き戸を開位置に止めて保持する戸当りに関する。
【背景技術】
【０００２】
従来、この種の戸当りの中には、例えば図１５および図１６に示すように、先端側に係止穴１を開けた磁性体からなる蓋状のストッパ板２を、基端側のヒンジ部１ａにおいて、床面３に固定した基台４に回動自在に連結したストッパ装置Ｍを、床面３側に設置する一方、開き戸５の下部にロック装置Ｎを固定し、ロック装置Ｎの固定ケース６内に、ストッパ板２の上方に位置するとストッパ板２を磁力で吸着する磁石７を取り付けると共に、吸着したストッパ板２の係止穴１に先端が係合するロック位置と係合しない非ロック位置とに上下動可能にロック部材８を保持した構造にしたものがある（特許文献１参照）。
【０００３】
そこで、従来の戸当りは、例えば頻繁に開閉する開き戸５を、一時的に全開にする場合は、図１５（ｂ）に示すように、開き戸側のロック装置Ｎが床側のストッパ装置Ｍの上方に至ると、ストッパ板２を磁力で磁石７に吸着して開き戸５を全開位置に磁気的に止めて保持する。すなわち、開き戸５を磁力に抗して閉方向に回動して磁石７がストッパ板２の位置からずれると、開き戸５が閉じる程度の強さで保持し、開き戸５を仮止めする。一方、全開した開き戸５が突風等の強い外力を受けて激しく閉じるのを防止するときなどは、上述のように磁気的な仮止め状態から、ロック部材８をロック位置へ押し下げて先端部をストッパ板２の係止穴１に係合し、開き戸５を全開位置に機械的にロックする二段ロック構造になっている。一方、ロックを解除するときは、ロック部材８を非ロック位置に引き上げて先端をストッパ板２の係止穴１から外してから、開き戸５を磁力に抗して閉方向に押し回せばよいようになっている。
【先行技術文献】
【特許文献】
【０００４】
【特許文献１】特開２００９−１４４３４０号公報
【発明の概要】
【発明が解決しようとする課題】
【０００５】
ところが、上述した従来の戸当りは、床側のストッパ装置Ｍにおいて、ストッパ板２を繰り返し起伏させるうちに、ヒンジ部１ａに塵や屑やワックス等の異物が詰まり、詰まった異物がストッパ板２の回転の妨げになって磁力ではストッパ板２を吸い上げることができなくなることがあり、そのため、開き戸５を開位置に確実に止めて保持することができないという課題があった。また、場合によっては、ストッパ板２が途中で止まって起立したままになり、その起立したストッパ板２に足などが引っ掛かって怪我をするなど、安全性にも欠けるという課題があった。そこで、開き戸側に備える磁石を大型で強磁性のものに取り替えて対処することも考えられるが、磁石は比較的高価であるため、それではコストが著しく高くなるという課題があった。
【０００６】
そこで、本発明の目的は、開き戸を開位置に確実に止めて保持する安全性に富んだ安価な戸当りを提供することにある。
【課題を解決するための手段】
【０００７】
請求項１に記載の発明は、たとえば以下に示す図示実施の形態のとおり、開き戸Ｄの下部に固定するロック具Ｌと、開き戸Ｄが開状態にあるとき前記ロック具Ｌの真下の床面ｆに取り付ける受座Ｂとからなる戸当りにおいて、前記受座Ｂは、厚さ方向に軸受穴２０を設けると共に該軸受穴２０と座外縁との間に断面山形のスロープからなるガイド通路２５を設け、前記軸受穴２０を、該ガイド通路２５が連なった深さ方向上段の仮止め穴部ｍと該仮止め穴部ｍより小径な下段のロック穴部ｎとで形成し、前記ロック具Ｌは、開き戸Ｄに固定するガイドケース３０と、先端が前記仮止め穴部ｍに係合する仮止め位置と届かない非仮止め位置との間を移動可能に入れ子式に重ねて前記ガイドケース３０に嵌入する前記ロック穴部ｎより太径なパイプ状の仮止め杆３５と、先端部４０ｂが前記ロック穴部ｎに係合するロック位置と前記仮止め杆３５内に引き込まれる非ロック位置との間を移動可能に入れ子式に重ねて前記仮止め杆３５に嵌入するロック棒４０と、前記仮止め杆３５と前記ロック棒４０間に介装して該ロック棒４０を前記ガイドケース３０の頭部に向けて常時付勢し、前記仮止め杆３５を仮止め位置に止めて保持する一方、前記ロック棒４０を非ロック位置に止めて保持する付勢ばね４５と、前記ガイドケース３０の頭部に冠着して前記ロック棒４０を前記付勢ばね４５に抗して押し下げる操作ボタン５０と、該操作ボタン５０による一定ストロークの押し下げ動作に応じて前記ロック棒４０の保持高さを非ロック位置又はロック位置に切り換える切換手段５５とを備えることを特徴とする。
【０００８】
請求項２に記載の発明は、請求項１に記載の戸当りにおいて、たとえば以下に示す図示実施の形態のとおり、前記ロック具Ｌは、開き戸Ｄのロック状態を表示する表示部６０ｃを、前記操作ボタン５０の背後に重ねて立設してなることを特徴とする。
【発明の効果】
【０００９】
請求項１に記載の発明によれば、開き戸を開位置で仮止めするときは、開き戸を押し開くと、ロック具の仮止め杆が付勢ばねに抗してスロープを上り下りして受座のガイド通路を越えて、ガイド通路と通ずる軸受穴の仮止め穴部に仮止め状態で嵌合して開き戸を開位置に仮止めする一方、開き戸を開位置にロックするときは、同じように仮止め状態にしてから、操作ボタンを付勢ばねに抗して一定ストロークだけ押し込むと、切換手段が働いてロック棒の保持高さを非ロック位置からロック位置に切り換え、先端部を受座の軸受け穴のロック穴部に嵌合して開き戸を開位置に機械的にロックする構成とし、床側の受座に塵や屑やワックス等の異物が詰まると障害となる可動物は備えず、しかも、受座側の可動物を開き戸側の磁石を利用して作動させて開き戸を開位置に磁気的にロックするものではないため、開き戸を開位置に確実に止めて保持することができ、従って、受座側の可動物に足などが引っ掛かって怪我をするなど安全性に欠けることがなく、しかも、比較的高価な磁石が不要なのでコストも著しく低減することができる。
【００１０】
加えて、請求項１に記載の発明よれば、開き戸を仮止め操作するとき、足で踏んで操作したり屈んで手で操作したりせずとも、立ったまま開き戸を押し回して仮止め杆をガイド通路の斜面を越えさせるだけの簡単な操作で、開き戸を開位置に仮止めしたり仮止めを解除したりすることができる。また、開き戸をロック操作するときは、屈んで手で操作したりせずとも、立ったまま足の指で操作ボタンを押す簡単な操作で、開き戸を開位置にロックしたり、ロックを解除したりすることができる。
【００１１】
請求項２に記載の発明よれば、開き戸が開位置で仮止め状態にある間は、操作ボタンは押し下げない上段位置にあるため、操作者にとってみれば、操作ボタンの背後に重ねて立設した表示部が操作ボタンに隠れて視認できない状態にあることにより、開き戸が開位置でロックされていないことを表示することになる一方、開き戸が実際に開位置でロックされているときは、操作ボタンは押し下げて表示部の手前を開放した下段位置にあるため、操作者にとってみれば、表示部が視認できる状態にあることにより、開き戸が開位置でロックされていることを表示部で表示することになり、よって、操作者は表示部の状態から開き戸がロックされているかどうかを確実に且つ簡単に確認することができ、その結果、開き戸を開位置にロックする操作のミスの発生を防止することができる。
【図面の簡単な説明】
【００１２】
【図１】本発明の一例である戸当りの構造を示す縦断面図である。
【図２】受座の分解斜視図である。
【図３】（ａ）受座の平面図、（ｂ）受座の線Ｘ−Ｘ断面図である。
【図４】受座の組立斜視図である。
【図５】ロック具の分解斜視図である。
【図６】ロック具の図５とは向きを変えて示す分解斜視図である。
【図７】操作ボタンと切換手段の分解斜視図である。
【図８】ロック具の組立斜視図である。
【図９】本発明の戸当りを適用した扉構造体を開き戸全開状態で示す斜視図である。
【図１０】ロック具のロック棒の保持高さを非ロック位置に切り換える動作を段階的に示す斜視図である。
【図１１】ロック具のロック棒の保持高さをロック位置に切り換える動作を段階的に示す斜視図である。
【図１２】開き戸を全開位置に仮止めする場合において、本発明の戸当りの作動状態を段階的に示す縦断面図である。
【図１３】開き戸を全開位置にロックする場合において、本発明の戸当りの作動状態を段階的に示す縦断面図である。
【図１４】開き戸を全開位置にロックしようとする場合において、本発明の戸当りの誤作動防止状態を段階的に示す縦断面図である。
【図１５】開き戸を全開位置に仮止めする場合において、従来の戸当りの作動状態を段階的に示す側面図である。
【図１６】開き戸を全開位置にロックする場合において、従来の戸当りの作動状態を段階的に示す縦断面図である。
【発明を実施するための形態】
【００１３】
以下、図面を参照しつつ、本発明の実施の形態について説明する。
【００１４】
図１は本発明の一例である戸当りの構造を示す縦断面図、図９は本発明の戸当りを適用した扉構造体を開き戸全開状態で示す斜視図である。扉構造体は、図９に示すように、床Ｆと、矩形に開口部Ｓを開けた壁Ｗと、左右の縦框１０ａ・１０ｂと上枠１０ｃからなる矩形な扉枠１０と、一側の縦框１０ｂに吊元側を上下のピボットヒンジ１１ａ・１１ｂで連結して回動可能に吊り込んだ開き戸Ｄとで構成されている。
【００１５】
図示扉構造体において、本発明による戸当りは、床Ｆ側に設置する受座Ｂと、開き戸Ｄ側に設置するロック具Ｌとで構成されている。
【００１６】
受座Ｂは、図２、図３および図４に示すように、扁平な円盤状の座本体１５と、座本体１５の化粧カバー１６と、逃げ穴１２の補強キャップ１７を備えてなる。
【００１７】
座本体１５は、樹脂製で、取付台部１５ａと、取付台部１５ａより一段肉厚な扇形のガイド部１５ｂとからなる。取付台部１５ａは、位置決め用丸穴１３や複数のねじ穴１４を穿設した内周部分と、内周部分から外縁に向いて下り勾配となった環状の外周部分とからなる。ガイド部１５ｂは、厚さ方向に貫通する軸受穴２０を設けると共に、軸受穴２０と座外縁１５ｃとの間に断面山形のスロープからなるガイド通路２５を形成してなる。ガイド通路２５は、座外縁１５ｃから上り勾配の外側斜面２５ａと、丸味を帯びた頂点部から軸受穴２０へ向けて下り勾配の内側斜面２５ｂとでスロープを形成している。軸受穴２０は、ガイド通路２５の内側斜面２５ａが連なった深さ方向上段の仮止め穴部ｍと、下段の筒穴状をなすロック穴部ｎとで形成されている。化粧カバー１６は、樹脂製カバーで、座本体１５の取付台部１５ａに嵌着できるように、取付台部１５ａの表面形状に対応させて外周縁が勾配になった扁平な形状に成形し、図２に示すように、取付台部１５ａに被せる内面側の中心に位置決め凸部１６ａを突設してなる。
【００１８】
そこで、受座Ｂは、図１に示すように、開き戸Ｄが全開状態にあるときロック具Ｌの真下となる床面ｆに予め凹設した逃げ穴１２に、補強キャップ１７を嵌め込んで逃げ穴１２を補強し、図３（ｂ）に示すように、逃げ穴１２の中心に座本体１５の軸受穴２０を合わせると共に、ガイド通路２５をロック具のＬの回動軌跡上に合わせて、床面ｆに座本体１５をねじ止めする。それから、座本体１５の位置決め用丸穴１３に位置決め凸部１６ａを係合させて化粧カバー１６を取付台部１５ａに嵌着することにより、戸当りの受座Ｂを組み立てて床面ｆ上に設置する。従って、受座Ｂのねじ止め箇所を化粧カバー１６で覆うことによって戸当りを含む扉周りの見栄えが悪化するのを抑え、また、外周縁が床面ｆに連なる緩やかな勾配になって受座Ｂ全体が床面ｆから出っ張らず、歩行や掃除の邪魔にならないように平面的に床Ｆに設置することができる。
【００１９】
一方、ロック具Ｌは、図５、図６および図７に示すように、開き戸Ｄに取付ピース２９を用いて取り付けるガイドケース３０と、ガイドケース３０に入れ子式に重ねて移動可能に嵌入する仮止め杆３５と、仮止め杆３５に入れ子式に重ねて移動可能に嵌入するロック棒４０と、仮止め杆３５とロック棒４０を付勢する圧縮コイルばねの付勢ばね４５と、ロック棒４０を押動操作する操作ボタン５０と、操作ボタン５０で押動操作するロック棒４０の保持高さ位置を切り換える切換手段５５を備えた構成になっている。
【００２０】
ガイドケース３０は、樹脂製で、長さ方向にガイド穴２２が円筒状に貫通するトンネル形の本体筒部２３と、本体筒部２３の背面に沿って設ける取付凹部２４からなる。本体筒部２３は、下端内周に仮止め杆３５の抜止めリブ２３ａを環状に凸設する一方（図１参照）、下端外周に雌ねじ穴７９を螺設し、上端外周に複数のガイド凸部２３ｂを突設している。取付凹部２４には、ゲート２４ａで仕切った下側に矩形な取付溝２６を形成する一方、上側にカム連結部分２７を形成する。取付溝２６は、向い合う溝側壁に凸条のガイドレール２６ａを長さ方向に形成している。カム連結部分２７には、細長いカム連結リブ２７ａをゲート２４ａと平行な横向きに凸設している。ゲート２４ａには、取付ピース２９の係合穴２８が開いている。取付ピース２９は、取付溝２６に合わせて細長矩形状をなし、厚さ方向にねじ挿通穴を設ける一方、両側部にガイドレール２６ａが係合する案内溝３１を凹設する一方、図中上端に係合凸部２９ａを突設する。なお、取付ピース２９には、片側側部の下端にねじ受け凹部２９ｂを形成している。
【００２１】
仮止め杆３５は、樹脂製で、内部にロック棒４０が挿通可能な穴径の軸穴３３の貫通した段付きの丸パイプ状に成形し、図１でも示すように、図中下段の外径が最も細い先端管部３５ａと、先端管部３５ａより一段太径な中段管部３５ｂと、中段管部３５ｂより一段太径の基端管部３５ｃとからなる。先端管部３５ａは、外径を受座Ｂの軸受穴２０におけるロック穴ｎの穴径より大きく形成する。中段管部３５ｂは、ガイドケース３０の環状の抜止めリブ２３ａ内を挿通可能に先端管部３５ａより外径を一段大きくして段付きに形成する。基端管部３５ｃは、ガイドケース３０のガイド穴２２内を挿通可能に中段管部３５ｂより外径を一段大きくして段付きに形成し、中段管部３５ｂとの間において、内周側にばね受け段部３４を設ける一方、外周側にパイプ受け段部３６を設けている。
【００２２】
ロック棒４０は、図５および図６に示すように、軸径が仮止め杆３５の軸穴３３を挿通できる大きさで、受座Ｂのロック穴ｎより小径な金属製の丸棒からなり、図中上側の基端部に円板状の突当て鍔部４０ａを設けてなる。
【００２３】
操作ボタン５０は、樹脂製で、図７でも示すように、ガイドケース３０の上端の頭部に冠着できる大きさの同じドーム形に成形し、下部側と背面部側を開放したキャップ状をなす押下部３８と、押下部３８内にあって上部側の押え板３８ａから高さ方向下向きに円筒状に突設したカム係止部３９と、カム係止部３９の内周で押え板３８ａから高さ方向下向きに同心的に突設した取付筒部２１（図１参照）とからなる。押下部３８には、向い合う側板部の高さ方向に操作ボタン５０のガイド凸部２３ｂと対応する複数の細長いガイド凹溝３８ｂを設ける一方、押え板３８ａの端縁には切欠き凹部１９を設けてなる。カム係止部３９は、図中下側の先端を１つ１つが山形の鋸歯３９ａで形成している。
【００２４】
切換手段５５は、全体に略椅子形をなす固定カム６０と略円筒形の可動カム６５を備える。固定カム６０は、樹脂製で、円筒カム部６０ａと、円筒カム部６０ａの図中上端に設ける座部６０ｂと、座部６０ｂの一端に背もたれ状に直角に立設した矩形板状の表示部６０ｃと、下向きに延びる取付片６０ｄを一体に成形してなる。円筒カム部６０ａは、座部６０ｂ側から高さ方向下向きに細長い複数の切換溝４１を円周方向に等間隔に並設し、切換溝４１間の下端には、切換溝４１の溝口の片側角縁から座部６０ｂに向うに従い漸次深く切り欠いて傾斜するカム溝４２を凹設する一方、カム溝４２と切換溝４１間に、凸状の切換カム片３１を残して切換溝４１と平行に凸設している。切換カム片３１は、それぞれ先端縁３１ａをカム溝４２の傾斜縁４２ａの傾きに合わせた勾配で形成されている。
【００２５】
固定カム６０の座部６０ｂは、円筒カム部６０ａと連通する挿通穴４３を設け、内周縁には、ガイドケース３０の頭部が係止する段付きの係止リブ４４を、ガイドケース３０に合わせてＵ形に形成されている。図示例の表示部６０ｃは、開き戸Ｄのロック状態を表示する表示板で、開き戸Ｄの色彩が例えば薄く淡い場合は濃い黒色で形成するなど、開き戸Ｄに対してコントラストがはっきりした色彩を付すことが望ましい。取付片６０ｄには、ガイドケース３０側のカム連結リブ２７ａに対応させて、カム連結リブ２７ａが係合可能な横に細長い連結細穴４８が設けられている。
【００２６】
可動カム６５は、樹脂製で、図中下側の本体カム部４６と上側の一段細径なガイド筒部４７とを一体に成形している。本体カム部４６は、ガイド筒部４７との間の上端外周に受止め段部４６ａを形成し、反対側の上端内周に突き当て段部４６ｂ（図１参照）を形成する一方、下端外周に抜止めリブ４６ｃを環状に凸設している。更に、外周面には、固定カム６０側の切換溝４１に対応させて、抜止めリブ４６ｃからガイド筒部４７へ向けて細長い複数の切換リブ４６ｄを周方向に等間隔に凸設している。各切換リブ４６ｄは、先端部４９を受止め段部４６ａから突出し、その先端面４９ａを、固定カム６０のカム溝４２の傾斜縁４２ａの傾きに合わせた傾斜面で形成している。ガイド筒部４７は、本体カム部４６と連通する貫通穴の図中上部を一段細径にし、その上部内周にねじ挿通穴４７ａを形成している（図１参照）。
【００２７】
そこで、ロック具Ｌは、図５、図６および図７に示すように、付勢ばね４５を巻装したロック棒４０の先端部４０ｂを、基端管部３５ｃから仮止め杆３５内に挿入し、付勢ばね４５を突当て鍔部４０ａとばね受け段部３４間で挟んだ状態で、ロック棒４０を、仮止め杆３５に入れ子状に重ねて移動可能に嵌入する。一方、操作ボタン５０のカム係止部３９を固定カム６０の挿通穴４３から円筒カム部６０ａに嵌め込み、切欠き凹部１９に表示部６０ｃの上端を係着し、操作ボタン５０を切換手段５５の固定カム６０にスライド移動可能に連結する。すると、表示部６０ｃが操作ボタン５０の背後に重ねて立設される。それから、可動カム６５のガイド筒部４７を固定カム６０の円筒カム部６０ａに入れて操作ボタン５０のカム係止部３９に嵌め込んでから、ガイド筒部４７内に連結ねじ７０をスペーサ管６９を介して挿入し、連結ねじ７０の先端ねじ部７０ａを連結筒部２１にねじ込んで、可動カム６５を、操作ボタン５０と一体的に連結する。
【００２８】
次いで、ロック具Ｌは、可動カム６５のガイド筒部４７にロック棒４０の基端側を挿入し、突当て鍔部４０ａを付勢ばね４５に抗して突当て段部４６ｂに押し当て、ガイド凸部２３ｂをガイド凹溝３８ｂに係合させながら、操作ボタン５０をガイドケース３０の頭部に冠着し、カム連結リブ２７を連結細穴４８に嵌め込んでガイドケース３０に固定カム６０を一体的に連結する。すると、ロック具Ｌは、付勢ばね４５で切換手段５５の可動カム６５とロック棒４０と仮止め杆３５を常時付勢し、可動カム６５は、切換リブ４６ｄの先端面４９ａがそれぞれカム係止部３９の鋸歯３９ａに係合し、抜止めリブ４６ｃを固定カム６０の円筒カム部６０ａの下縁に押し当てた抜け止め状態で保持し、ロック棒４０は、突当て鍔部４０ａを可動カム６５の突当て段部４６ｂに突き当てて、先端部４０ｂが仮止め杆３５内に引き込まれた非ロック位置に保持し、仮止め杆３５は、抜止めリブ２３ａにパイプ受け段部３６を押し当てた仮止め位置に止めて保持した状態で、図８に示すように組み立ててなる。
【００２９】
従って、ロック具Ｌは、操作ボタン５０を付勢ばね４５に抗して押し込むと、切換手段５５が働いてロック棒４０の保持高さを、図１０および図１１を参照して以下に説明するように、一定の非ロック位置からロック位置に切り換え、また、ロック位置から非ロック位置に切り換えて戻すことができるようになっている。
【００３０】
即ち、ロック具Ｌは、図１０（ａ）に示すように、ロック棒４０を、先端部４０ｂが仮止め杆３５内に引き込まれた非ロック位置に保持した状態にあるときに、上段位置にある操作ボタン５０を、同図（ｂ）に示すように付勢ばね４５に抗して押し込むと、切換手段５５が始動し、可動カム６５に押されてロック棒４０が押し下がるようになっている。そこで、ロック棒４０の保持高さを非ロック位置からロック位置に切り換える場合は、操作ボタン５０を、上段位置から、同図（ｃ）に示すように、押え板３８ａが固定カム６０の座部６０ｂに当たる下段位置までの一定ストローク押し込んで可動カム６５を押し下げ、ロック棒４０を、非ロック位置から一気に最下段の切換位置まで、いったん押し下げる。すると、可動カム６５の切換リブ４６ｄが固定カム６０の切換溝４１から外れて先端の傾斜面４９ａがカム溝４２の傾斜縁４２ａと一致したとき、同図（ｄ）に示すように、付勢ばね４５の付勢力が働いて、可動カム６５を、切換リブ４６ｄの先端の傾斜面４９ａをガイド溝４２の傾斜縁４２ａに摺接しながら、同図（ｅ）に示すように時計方向に回動して固定カム６０側へ引き上げ、切換リブ４６ｄがガイド溝４２の係止角縁４２ｂに係止する中段高さ位置に可動カム６５を止めて保持し、その可動カム６５と一体にロック棒４０を引き上げて保持高さを最下段の切換位置から一段高いロック位置に切り換える。
【００３１】
他方、ロック具Ｌにおいて、ロック棒４０の保持高さをロック位置から非ロック位置に戻す場合は、図１１（ａ）に示すように、ロック棒４０をロック位置の高さに保持した状態にあるとき、操作ボタン５０を、上段位置から、同図（ｂ）に示すように、押え板３８ａが固定カム６０の座部６０ｂに当たる最下段位置までの一定ストローク押し込んで可動カム６５を押し下げる、すると、可動カム６５の切換リブ４６ｄが固定カム６０の係止角縁４２ｂから外れて先端の傾斜面４９ａが切換カム片３１の先端縁３１ａと一致したとき、同図（ｃ）に示すように、付勢ばね４５の付勢力が働いて、可動カム６５を、切換リブ４６ｄの先端の傾斜面４９ａを切換カム片３１の先端縁３１ａに摺接しながら、図中反時計方向に回動し、同図（ｄ）に示すように、切換リブ４６ｄが固定カム６０の切換溝４１に至って係合すると、図１１（ｅ）に示すように、可動カム６５を上方の固定カム６０側へ引き上げ、その可動カム６５と一体にロック棒４０を仮止め杆３５内に引き込んで保持高さを下段のロック位置から一段上の非ロック位置に切り換える。
【００３２】
そこで、組立ロック具Ｌは、図９に示すように、開き戸Ｄが全開したとき、ロック棒４０が受座Ｂの軸受穴２０の真上に位置する開き戸Ｄの戸先側下隅角部７５に、図５および図６に示す取付ピース２９を用いて取り付ける。取付時、取付ピース２９は、係合凸部２９ａを上側に向けて開き戸Ｄの戸先側下隅角部７５にねじ止めする。ロック具Ｌは、ガイドケース３０の取付溝２６におけるガイドレール２６ａを取付ピース２９の案内溝２９ａに係合させて取付溝２６に取付ピース２９を差し込み、係合凸部２９ｂをゲート２４ａの係合穴２８に嵌め込んで取付ピース２９に連結する。それから、ロック具Ｌは、芋ねじ８０を雌ねじ穴７９にねじ込んで取付ピース２９のねじ受け凹部２９ｂに押し込むことにより、取付ピース２９を介して開き戸Ｄに固定する。
【００３３】
さて、本発明の図示戸当りにおいて、例えば頻繁に開閉する開き戸Ｄを、一時的に全開にする場合は、図１２（ａ）に示すように、開き戸Ｄが開方向に回動してロック具Ｌの仮止め杆３５が受座Ｂのガイド通路２５に至っても、そのまま開き戸Ｄを押し開くと、同図（ｂ）に示すように、仮止め杆３５が付勢ばね４５に抗して押し上がりながら外側斜面２５ａを登ってから、そのまま内側斜面２５ｂを付勢ばね４５の付勢力により押し下げられながら下ることによりガイド通路２５を越え、すると、仮止め杆３５が、同図（ｃ）に示すように、ガイド通路２５と通ずる軸受穴２０の仮止め穴部ｍに付勢ばね４５のばね性で押えた仮止め状態で嵌合して開き戸Ｄを全開位置に仮止めする。従って、全開位置に仮止めした開き戸Ｄを閉める場合は、開き戸Ｄを閉方向に押して回動すれば、ロック具Ｌの仮止め杆３５が付勢ばね４５に抗して押し上がりながら仮止め穴部ｍから内側斜面２５ｂを登ってから、そのまま外側斜面２５ａを付勢ばね４５の付勢力により押し下げられながら下ることによりガイド通路２５を越え、これにより、仮止め杆３５を仮止め穴部ｍから外すことにより開き戸Ｄの全開位置での仮止め状態を解除して閉止する。
【００３４】
従って、本発明の図示戸当りは、以上のようにして足で踏んで操作したり屈んで手で操作したりせずとも、立ったまま開き戸Ｄを押し回して仮止め杆３５をガイド通路２５の斜面を越えさせるだけの簡単な操作で、開き戸Ｄを全開位置など適宜の開位置に仮止めしたり仮止めを解除したりすることができる。
【００３５】
次に、全開した開き戸Ｄが突風等の強い外力を受けて激しく閉じるのを防止するときなど、開き戸Ｄを全開位置にロックする場合は、図１３（ａ）に示すように、ロック具Ｌの仮止め杆３５を受座Ｂの仮止め穴部ｍに係合して開き戸Ｄを全開位置に仮止め状態にしてから、操作ボタン５０を、上段位置から、図１０（ｃ）に示すように、押え板３８ａが固定カム６０の座部６０ｂに当たる下段位置までの一定ストローク押し込んで可動カム６５を押し下げ、ロック棒４０を、仮止め杆３５に引き込んだ非ロック位置から、図１３（ｂ）に示すように、先端部がロック穴部ｎを貫通して逃げ穴１２に嵌合した最下段の切換位置まで、いったん押し下げる。すると、可動カム６５の切換リブ４６ｄが固定カム６０の切換溝４１から外れて先端の傾斜面４９ａがカム溝４２の傾斜縁４２ａと一致したとき、図１０（ｄ）に示すように、付勢ばね４５の付勢力が働いて、可動カム６５を、切換リブ４６ｄの先端の傾斜面４９ａをガイド溝４２の傾斜縁４２ａに摺接しながら、図１０（ｅ）に示すように、時計方向に回動して固定カム６０側へ引き上げ、切換リブ４６ｄがガイド溝４２の係止角縁４２ｂに係止する中段高さ位置に可動カム６５を止めて保持し、その可動カム６５と一体にロック棒４０を引き上げて保持位置を、最下段の切換位置から一段高いロック位置に切り換え、図１３（ｃ）に示すように、先端部４０ｂを受座Ｂのロック穴部ｎに嵌合して開き戸Ｄを全開位置に機械的にロックする。
【００３６】
他方、図示戸当りにおいて、図１３（ｃ）に示すように、全開位置にロックした開き戸Ｄを閉止するためにロック解除する場合も、操作ボタン５０を付勢ばね４５に抗し押し込んで切換手段５５の可動カム６５を押し下げ、ロック棒４０を、仮止め杆３５に引き込んだ非ロック位置から、図１３（ｂ）に示すように、先端部４０ｂがロック穴ｎを貫通して逃げ穴１２に嵌合した最下段の切換位置まで押し下げる。すると、ロック具Ｌは、可動カム６５の各切換リブ４６ｄが固定カム６０の係止角縁４２ｂから外れて先端の傾斜面４９ａが切換カム片３１の先端縁３１ａと一致したとき、図１１（ｃ）に示すように、付勢ばね４５の付勢力が働いて、可動カム６５を、切換リブ４６ｄの先端の傾斜面４９ａを切換カム片３１の先端縁３１ａに摺接しながら、図中反時計方向に回動し、図１１（ｄ）に示すように、切換リブ４６ｄが固定カム６０の切換溝４１に至って係合すると、図１１（ｅ）に示すように、可動カム６５を上方の固定カム６０側へ引き上げ、可動カム６５と一体にロック棒４０を非ロック位置まで引き上げて、図１３（ａ）に示すように、先端部４０ｂを受座Ｂのロック穴部ｎから外して開き戸Ｄのロック状態を解除し、仮止め杆３５が軸受穴２０の仮止め穴部ｍに係合した仮止め状態に、いったん戻す。それから、開き戸Ｄを閉方向に押して回動すれば、ロック具Ｌの仮止め杆３５が付勢ばね４５に抗して押し上がりながら仮止め穴部ｍから内側斜面２５ｂを登ってから、そのまま外側斜面２５ａを付勢ばね４５の付勢力により押し下げられながら下ることによりガイド通路２５を越え、これにより、仮止め杆３５が仮止め穴部ｍから外れて開き戸Ｄの全開位置での仮止め状態が解除され、以って、開き戸Ｄが閉止する。
【００３７】
従って、本発明の図示戸当りは、以上のようにして足で踏んで操作したり屈んで手で操作したりせずとも、立ったまま足の指で操作ボタン５０を押す簡単な操作で、開き戸Ｄを全開位置など適宜の開位置にロックしたり、ロックを解除したりすることができる。
【００３８】
また、図示戸当たりでは、図１３（ａ）に示すように、開き戸Ｄが全開位置で仮止め状態にある間は、操作ボタン５０は押し下げない上段位置にあるため、操作者にとってみれば、表示部６０ｃが操作ボタン５０と重なって視認できない状態にあることにより、開き戸Ｄが全開位置でロックされていないことを表示することになる一方、同図（ｃ）に示すように、開き戸Ｄが実際に全開位置でロックされているときは、操作ボタン５０は押し下げて表示部６０ｃの手前を開放した下段位置にあるため、操作者にとってみれば、表示部６０ｃが視認できる状態にあることにより、開き戸Ｄが全開位置でロックされていることを表示部６０ｃで表示することになり、これによって、操作者は表示部６０ｃの状態から開き戸Ｄがロックされているかどうかを、確実に且つ簡単に確認することができ、その結果、開き戸を全開位置など適宜の開位置にロックする操作のミスの発生を防止することができる。
【００３９】
ところで、図示戸当りでは、開き戸Ｄを全開位置にロックする場合は、図１３（ｂ）に示すように、操作ボタン５０を押し下げて、非ロック位置にあるロック棒４０を先端部４０ｂがロック穴ｎを貫通して逃げ穴１２に嵌合する最下段の切換位置まで一定のストローク押し下げると、付勢ばね４５の付勢力が働いてロック棒４０の保持高さがロック位置に切り換わる構成であるため、図１４（ａ）に示すように、開き戸Ｄを開方向に回動してロック具Ｌが受座Ｂの軸受穴２０の真上に至る手前で、同図（ｂ）に示すように、誤って操作ボタン５０を押し込んでも、ロック棒４０が最下段の切換位置に押し下がる途中で、先端部４０ｂが床面ｆに衝突してロック位置への切換動作を規制され、これによっても、全開位置など適宜の開位置に開き戸をロックする操作のミスの発生を防止することができる。
【符号の説明】
【００４０】
Ｄ              開き戸
Ｂ              受座
Ｆ              床
Ｌ              ロック具
Ｓ              開口部
ｆ              床面
ｍ              仮止め穴部
ｎ              ロック穴部
２０            軸受穴
２５            ガイド通路
３０            ガイドケース
４０            ロック棒
４５            付勢ばね
５０            操作ボタン
５５            切換手段
６０            固定カム
６０ｃ          表示部
６５            可動カム
【要約】
【課題】足で踏んで操作したり屈んで手で操作したりせず、開き戸を開位置で押し引きするだけで簡単に操作できる戸当りを提供する。
【解決手段】開き戸Ｄを全開位置で仮止めするときは、開き戸を押し開くと、ロック具Ｌの仮止め杆３５が付勢ばね４５に抗してスロープ２５ａ・２５ｂを上り下りして受座Ｂのガイド通路２５を越えて、ガイド通路と通ずる軸受穴２０の仮止め穴部ｍに仮止め状態で嵌合して開き戸を全開位置に仮止めする一方、開き戸を全開位置にロックするときは、同じように仮止め状態にしてから、操作ボタン５０を付勢ばねに抗して一定ストロークだけ押し込むと、切換手段５５が働いてロック棒４０の保持高さを非ロック位置からロック位置に切り換え、先端部４０ｂを受座の軸受け穴のロック穴部ｎに嵌合して開き戸を全開位置に機械的にロックする構成にする。
【選択図】          図１【図１】
0004708504.tif 000002
【図２】
0004708504.tif 000003
【図３】
0004708504.tif 000004
【図４】
0004708504.tif 000005
【図５】
0004708504.tif 000006
【図６】
0004708504.tif 000007
【図７】
0004708504.tif 000008
【図８】
0004708504.tif 000009
【図９】
0004708504.tif 000010
【図１０】
0004708504.tif 000011
【図１１】
0004708504.tif 000012
【図１２】
0004708504.tif 000013
【図１３】
0004708504.tif 000014
【図１４】
0004708504.tif 000015
【図１５】
0004708504.tif 000016
【図１６】
0004708504.tif 000017